(57)【要約】【課題】  鑑賞対象物の展示会場から離れた場合でも、該展示会場での閲覧順序および撮影順序に応じて再度鑑賞データおよびデジタルスチルカメラなどで撮影した画像を表示可能なシステムの提供にある。【解決手段】  鑑賞データ表示装置１００００は、鑑賞ＩＤ送信装置２００００から送信される鑑賞ＩＤを受信する鑑賞ＩＤ受信プログラム１２０００、受信した鑑賞ＩＤに対応した鑑賞データを表示装置１０１００に表示する鑑賞データ表示プログラム１１０００、操作者の要求に応じて、鑑賞ＩＤ送信装置２００００に対応して鑑賞データを表示した順に鑑賞データを再表示する鑑賞データ再表示プログラム１３０００を有する。【選択図】  図１
2007058255.tif 000002
【特許請求の範囲】
【請求項１】
鑑賞対象に関する鑑賞データを表示する鑑賞データ表示装置において、
鑑賞対象物毎に設置された記憶媒体から当該記憶媒体もしくは前記鑑賞対象物を識別する識別情報を受信する手段と、
受信された前記識別情報に対応付けて記憶された前記鑑賞対象物に関する鑑賞データを出力する手段と、
前記鑑賞データの出力を検知し、検知された前記鑑賞データの出力に対応する識別情報と出力された時間を示す時間情報をログ情報として対応付けて記憶する手段と、
利用者からの表示要求の入力に応じて、前記ログ情報に含まれる時間情報の順序に従って、対応する識別情報に対応する鑑賞データを表示する手段とを有することを特徴とする鑑賞データ表示装置。
【請求項２】
請求項１に記載の鑑賞データ表示装置において、
ネットワークを介して、前記識別情報と前記鑑賞データを対応付けて記憶するサーバ装置と接続しており、
前記記憶媒体から識別情報を受信した場合、当該識別情報を含む鑑賞データ要求情報を前記サーバ装置に送信する手段と、
前記サーバ装置から前記鑑賞データ要求情報に対応する鑑賞データを受信する手段とをさらに有し、
前記鑑賞データを出力する手段は、受信された前記鑑賞データを出力することを特徴とする鑑賞データ表示装置。
【請求項３】
請求項２に記載の鑑賞データ表示装置において、
前記サーバ装置から受信された鑑賞データを、対応する識別情報と対応付けて記憶する手段をさらに有することを特徴とする鑑賞データ表示装置。
【請求項４】
請求項１乃至３のいずれかに記載の鑑賞データ表示装置において、
前記表示する手段に表示可能なデータであって、撮影時間を含む画像データを記憶する手段を有し、
前記表示する手段は、前記時間情報および前記撮影時間の示す時間の順序で、前記鑑賞データおよび前記画像データを表示することを特徴とする鑑賞データ表示装置。
【請求項５】
請求項１乃至４のいずれかに記載の鑑賞データ表示装置において、
前記表示要求の入力に応じて、前記時間情報と前記鑑賞データを対応付けた表示データを生成して、記憶する手段とを有し、
前記表示する手段は、記憶された前記表示データに従って鑑賞データの表示を実行することを特徴とする鑑賞データ表示装置。
【発明の詳細な説明】
【技術分野】
【０００１】
本発明は、利用者に対して、絵画等の鑑賞対象物に関する鑑賞データを表示する技術に関する。この中でも特に、鑑賞対象物を鑑賞した後、再度本鑑賞物の鑑賞データを表示する技術に関する。なお、鑑賞データの表示には、鑑賞対象物の展示会場の案内も含まれる。
【背景技術】
【０００２】
従来、絵画などの鑑賞物の鑑賞データを表示するものとして、特許文献１がある。特許文献１においては、利用者が携帯する携帯可能媒体に、鑑賞データと識別データを対応付けて記憶しておき、被鑑賞対象の毎に設置された記憶媒体から送信される識別データに対応する鑑賞データを選択して表示する技術が開示されている。
【０００３】
【特許文献１】特開平１−２９１３６４
【発明の開示】
【発明が解決しようとする課題】
【０００４】
しかしながら、特許文献１においては、鑑賞対象物の展示会場において鑑賞データを表示することは可能であるものの、展示会場から離れた場合（帰宅した場合など）再度鑑賞データを見たい場合に対応することはできなかった。通常、旅行などに出かけた場合、写真等を撮り、帰宅後それを見ることが行われている。このことを考慮すると、鑑賞データを再度見たい要求はあるものの、この要求を満たす技術は存在しなかった。
【課題を解決するための手段】
【０００５】
そこで、本発明では、帰宅後などに一旦出力した鑑賞データを再表示するために、出力状況を示すログ情報を記録しておき、このログ情報に基づいて鑑賞データを表示する構成とした。より具体的には、本発明には以下の態様が含まれる。
【０００６】
鑑賞対象に関する鑑賞データを表示する鑑賞データ表示装置において、鑑賞対象物毎に設置された記憶媒体から当該記憶媒体もしくは前記鑑賞対象物を識別する識別情報を受信し、受信された前記識別情報に対応付けて記憶された前記鑑賞対象物に関する鑑賞データを出力し、前記鑑賞データの出力を検知し、検知された前記鑑賞データの出力に対応する識別情報と出力された時間を示す時間情報をログ情報として対応付けて記憶し、利用者からの表示要求の入力に応じて、前記ログ情報に含まれる時間情報の順序に従って対応する識別情報に対応する鑑賞データを表示するものである。
【０００７】
また、この鑑賞データ表示装置において、本鑑賞データ表示装置は、ネットワークを介して、前記識別情報と前記鑑賞データを対応付けて記憶するサーバ装置と接続可能であり、前記記憶媒体から識別情報を受信した場合、当該識別情報を含む鑑賞データ要求情報を前記サーバ装置に送信し、前記サーバ装置から前記鑑賞データ要求情報に対応する鑑賞データを受信し、受信された前記鑑賞データを出力することも本発明に含まれる。
【０００８】
また、この鑑賞データ表示装置において、前記サーバ装置から受信された鑑賞データを、対応する識別情報と対応付けて記憶することも含まれる。
【０００９】
さらに、これらの鑑賞データ表示装置において、当該表示装置で表示可能なデータであって、撮影時間を含む画像データを記憶しておき、前記時間情報および前記撮影時間の示す時間の順序で、前記鑑賞データおよび前記画像データを表示することも本発明に含まれる。
【００１０】
また、これらの鑑賞データ表示装置において、前記表示要求の入力に応じて、前記時間情報と前記鑑賞データを対応付けた表示データを生成して、記憶しておき、記憶された前記表示データに従って鑑賞データを表示することも含まれる。
【００１１】
なお、これらの鑑賞データ表示装置として、携帯電話、パーソナルコンピュータ等が含まれる。さらに、本発明には、鑑賞データ装置にネットワークを介して接続する鑑賞データサーバ装置や鑑賞データの識別情報（鑑賞ＩＤ）を送信（提示）する鑑賞ＩＤ送信装置も含まれる。また、これらの装置を用いた情報処理方法も本発明に含まれる。
【発明の効果】
【００１２】
本発明よれば、鑑賞対象物から離れた位置でも容易に鑑賞データの再表示が可能になる。
【発明を実施するための最良の形態】
【００１３】
本発明の実施の形態について、図面を用いて説明する。本実施の形態は、ソフトウエア製品の仲介を例に説明するが、本発明はそれに限定されるものではない。
【００１４】
まず、本実施の概要を図1に示す。
鑑賞データ表示装置１００００は、鑑賞ＩＤ送信装置２００００から送信される鑑賞ＩＤを受信する鑑賞ＩＤ受信プログラム１２０００、受信した鑑賞ＩＤに対応した鑑賞データを表示装置１０１００に表示する鑑賞データ表示プログラム１１０００、操作者の要求に応じて、鑑賞ＩＤ送信装置２００００に対応して鑑賞データを表示した順に鑑賞データを再表示する鑑賞データ再表示プログラム１３０００を有する。
【００１５】
鑑賞データ表示装置１００００はさらに、鑑賞データ１８０００、鑑賞ＩＤと鑑賞データの対応表である鑑賞ＩＤ−鑑賞データ対応テーブル１７０００、受信した鑑賞ＩＤのログを記録する鑑賞イベントログ１４０００、鑑賞イベントログ１４０００に基づき再表示した鑑賞データを表示順に応じて記録する鑑賞プレイリストを有する。
【００１６】
鑑賞データ表示装置１００００はさらに、鑑賞データサーバ３００００から鑑賞データをダウンロードする鑑賞データダウンロードプログラム１６０００、撮影時間を含む画像データを記憶する撮影画像データ１９０００からなる。
【００１７】
鑑賞データ表示装置１００００と鑑賞データサーバ３００００は、有線または無線のネットワークによって接続されている。
【００１８】
鑑賞データサーバ３００００は、鑑賞データ表示装置１００００から受信した鑑賞ＩＤに対応する鑑賞データを決定するための鑑賞ＩＤ−鑑賞データ対応テーブル３２０００、鑑賞ＩＤに対応するデータを鑑賞データ３１０００から取得し、鑑賞データ表示装置１００００に配信する鑑賞データ配信プログラム３３０００からなる。
【００１９】
次に、鑑賞データ表示装置１００００の構成要素について説明する。
鑑賞ＩＤ受信プログラム１２０００は、鑑賞ＩＤ送信装置２００００から鑑賞ＩＤを受信すると、鑑賞データ表示プログラム１１０００を起動する。鑑賞データ表示プログラム１１０００のＰＡＤ（Problem Analysis Diagram）図を図５に示す。
【００２０】
ステップ１１１００では、鑑賞ＩＤ−鑑賞データ対応テーブル１７０００に基づき、受信した鑑賞ＩＤに対応する鑑賞データを決定する。鑑賞ＩＤ−鑑賞データ対応テーブル１７０００の例を図２に示す。鑑賞ＩＤ−鑑賞データ対応テーブル１７０００は鑑賞ＩＤとその鑑賞ＩＤに対応する鑑賞データを指定する文字列のレコードからなる。図７の例では、ＵＲＩ（Uniform Resource Identifier）によって鑑賞データの電子ファイルの格納場所が示されている。本ステップでは、鑑賞ＩＤ−鑑賞データ対応テーブル１７０００から送信された鑑賞ＩＤに関連するレコードを検索することで、該鑑賞ＩＤに対応する鑑賞データのＵＲＩを決定する。なお、いわゆるＵＲＬ（Uniform Resource Locator）をＵＲＩとして用いてもよい。
【００２１】
ステップ１１２００では、ステップ１１１００で決定した鑑賞データのＵＲＩに基づき、鑑賞データ１８０００から対応する鑑賞データを取得する。ここで鑑賞データ１８０００は鑑賞データ表示装置１００００内に存在する必然性はなく、鑑賞データサーバ３００００に格納されていても良い。鑑賞データのＵＲＩに鑑賞データサーバ３００００内の鑑賞データが設定されている場合、鑑賞データダウンロードプログラム１６０００を起動する。鑑賞データダウンロードプログラム１６０００は、該ＵＲＩに基づき、鑑賞データサーバ３００００から鑑賞データをダウンロードし、鑑賞データ表示装置１００００内の鑑賞データ１８０００に格納する。さらに鑑賞ＩＤ−鑑賞データ対応テーブル１７０００の対応する鑑賞データのＵＲＩを、該鑑賞データ１８０００内の鑑賞データを格納したＵＲＩに更新する。また鑑賞データ表示装置１００００内の鑑賞ＩＤ−鑑賞データ対応テーブル１７０００に鑑賞ＩＤ送信装置２００００から受信した鑑賞ＩＤが記載されていない場合、鑑賞データサーバ３００００にその鑑賞ＩＤを送信する。鑑賞データサーバ３００００は受信した鑑賞ＩＤに関して、鑑賞ＩＤ−鑑賞データ対応テーブル３２０００を検索し、対応するレコードが存在する場合は、鑑賞ＩＤに対応する鑑賞データを取得し、鑑賞データ配信プログラム３３０００により鑑賞データ表示装置１００００に送信する。ここで鑑賞ＩＤ−鑑賞データ対応テーブル３２０００および鑑賞データサーバで鑑賞データを決定する処理は、鑑賞データ再生装置１００００内の処理と同様の処理で実現することが出来る。
【００２２】
ステップ１１３０００では、ステップ１１２００で取得した鑑賞データを表示装置１０１００に表示する。ここで本発明においては、鑑賞データは画像データに限らず、動画データ、テキストデータ、ＣＧデータ、音声データなどでも良く、その各々に適した出力装置に出力される。
【００２３】
ステップ１１４００では、受信した鑑賞ＩＤと受信時刻からなるレコードを鑑賞イベントログ１４０００に追加する。鑑賞イベントログ１４０００の例を図３に示す。
【００２４】
次に鑑賞データ表示装置１００００は、操作者からの鑑賞データ再表示要求を受信した場合、鑑賞データ再表示プログラム１３０００を起動する。鑑賞データ再表示プログラム１３０００の処理ＰＡＤ図を図６に示す。
【００２５】
ステップ１３１００では、鑑賞イベントログ１４０００の各レコードについて、ステップ１３２００以降の処理を実行する。
【００２６】
ステップ１３２００では、鑑賞ＩＤ−鑑賞データ対応テーブル１７０００に基づき、処理対象レコードの鑑賞ＩＤに対応する鑑賞データのＵＲＩを決定する。ステップ１３３００では、ステップ１３２００で決定した鑑賞データのＵＲＩに基づき、鑑賞データを取得する。ステップ１３４００では、ステップ１３３００で取得した鑑賞データを表示装置１０１００に表示する。
【００２７】
また、鑑賞データ再表示プログラム１６０００の別の実施例として、初回の鑑賞データ再表示時に鑑賞イベントログ１４０００の各レコードの鑑賞ＩＤとその受信時刻、該鑑賞ＩＤから決定した鑑賞データのＵＲＩからなるレコードを含む鑑賞プレイリスト１５０００を作成することにより、再度の鑑賞データ再表示時に、鑑賞ＩＤ−鑑賞データ対応テーブルに基づく鑑賞データ決定処理を省略可能な処理ＰＡＤ図を図７に示す。さらに図７で示した鑑賞データ再表示プログラム１６０００では、鑑賞データ表示装置１００００で表示した鑑賞データの他に、デジタルスチルカメラなどで撮影した画像データも時系列で表示することが出来る。
【００２８】
ステップ１３５００では、鑑賞プレイリスト１５０００の有無を判定し、鑑賞プレイリスト１５０００が存在しない場合は、ステップ１３５１０以降の処理を行う。
【００２９】
ステップ１３５１０では、一つもレコードを有しない鑑賞プレイリスト１５０００を作成する。鑑賞プレイリスト１５０００の例を図４に示す。
【００３０】
ステップ１３５２０では、鑑賞イベントログ１４０００の各レコードおよび撮影画像データ１９０００の中で未処理のものが無くなるまで、ステップ１３５３０以降の処理を実行する。ここで撮影画像データは画像データおよび撮影時刻が取得可能な形式とする。
【００３１】
ステップ１３５３０では、未処理の鑑賞イベントログのレコードで、最も鑑賞ＩＤ受信時刻が早いものと、未処理の撮影画像データのなかで撮影時刻が最も早いものを比較し、時刻の早いデータを表示すべき鑑賞データとして決定する。
【００３２】
ステップ１３５４０では、処理対象レコードから取得した鑑賞ＩＤおよびその取得時刻、ステップ１３５３０で決定した鑑賞データのＵＲＩからなるレコードを鑑賞プレイリスト１５０００に追加する。
【００３３】
ステップ１３７００では、鑑賞プレイリスト１５０００の各レコードについて、ステップ１３７１０以降の処理を行う。
【００３４】
ステップ１３７１０では、処理対象レコードから鑑賞データのＵＲＩを取得する。ステップ１３７２０では、ステップ１３７１０で取得した鑑賞データを表示装置１０１００に表示する。なお、この表示処理は、取得時刻の順序で時系列に表示してもよい。また、鑑賞データ以外の画像データを保存しておき（もしくは他の情報処理装置から取り込み）、これも含めた形で時系列に表示してもよい。この場合、この画像データには、撮影日時や保存日時など時間を示す情報が含まれているものであって、これを用いて表示順序を特定する。
【産業上の利用可能性】
【００３５】
本発明は、鑑賞データの表示および再表示を、コンピュータを用いて実現することが可能になる。
【図面の簡単な説明】
【００３６】
【図１】本発明のシステムおよびソフトウエア概要を示す図である。
【図２】鑑賞ＩＤ−鑑賞データ対応テーブルの例を示す図である。
【図３】鑑賞イベントログの例を示す図である。
【図４】鑑賞プレイリストの例を示す図である。
【図５】鑑賞データ表示プログラムの処理をＰＡＤで示した図である。
【図６】鑑賞データ再表示プログラムの処理をＰＡＤで示した図である。
【図７】鑑賞データ再表示プログラムの処理をＰＡＤで示した図である。
【符号の説明】
【００３７】
１００００…鑑賞データ表示装置
２００００…鑑賞ＩＤ送信装置
３００００…鑑賞データサーバ
【図１】
2007058255.tif 000003
【図２】
2007058255.tif 000004
【図３】
2007058255.tif 000005
【図４】
2007058255.tif 000006
【図５】
2007058255.tif 000007
【図６】
2007058255.tif 000008
【図７】
2007058255.tif 000009